(57)【特許請求の範囲】
【請求項１】
１つのネットワークリソース管理装置と少なくとも１つのパケット転送装置とを含む複数の領域を有するネットワークシステムにおいて、
全ての領域相互間で論理的なパスを設定する手段と、領域内の全パケット転送装置間のリンクについて、領域間の各送受信パスと同じ量のネットワークリソースを確保する手段と、領域内の全パケット転送装置間のリンクについて、領域内の通信で用いる、ある一定の量のネットワークリソースを確保する手段と、領域内のパケット転送装置に使用可能なネットワークリソースの量を通知する手段と、領域内のパケット転送装置から使用、または解放したネットワークリソースの量の通知を受ける手段と、ネットワークリソースの使用可能な量のデータを更新する手段とを有するネットワークリソース管理装置と、
所属する領域のネットワークリソース管理装置から使用可能なネットワークリソース量の通知を受ける手段と、所属する領域のネットワークリソース管理装置へ使用、または解放したネットワークリソース量を通知する手段と、端末から通信開始の要求と、その通信が必要とするネットワークリソース量と通信終了の通知を受ける手段と、端末へ通信の可否を通知する手段と、通信が必要とするネットワークリソース量と使用可能なネットワークリソースの量から通信の可否を判断する手段と、各通信に対してネットワークリソースの割り当て、解放を行う手段とを有するパケット転送装置とを有することを特徴とする品質保証型ネットワークシステム。
【請求項２】
１つのネットワークリソース管理装置と少なくとも１つのパケット転送装置とを含む複数の領域を有するネットワークシステムにおいて、
全ての領域相互間で論理的なパスを設定する手段と、各送信パスの容量を領域内の各パケット転送装置に任意の割合で分配する手段と、領域内の全パケット転送装置間のリンクについて、その割り当てられた量のネットワークリソースを確保する手段と、領域内の全パケット転送装置間のリンクについて、各受信パスと同じ量のネットワークリソースを確保する手段と、領域内の全パケット転送装置間のリンクについて、各パケット転送装置毎に、領域内の通信で用いる、ある一定の量のネットワークリソースを確保する手段と、領域内のパケット転送装置に割り当てたネットワークリソースの量を通知する手段と、パケット転送装置からのネットワークリソースの割り当て量変更の要求を受ける手段とを有するネットワークリソース管理装置と、
ネットワークリソース管理装置から割り当てられたネットワークリソースの量の通知を受ける手段と、ネットワークリソース管理装置へネットワークリソースの割当量を増やすことを要求する手段と、端末からの通信開始の要求と、その通信が必要とするネットワークリソース量と通信終了の通知を受ける手段と、通信の可否を端末に通知する手段と、通信が必要とするネットワークリソース量と割り当てられたネットワークリソースの中で使用可能な量から通信の可否を判断する手段と、各通信に対して必要な量のネットワークリソースの割り当て、解放を行う手段と、ネットワークリソースの使用可能な量のデータを更新する手段を有するパケット転送装置とを有することを特徴とする品質保証型ネットワークシステム。
【請求項３】
１つのネットワークリソース管理装置と少なくとも１つのパケット転送装置とを含む複数の領域を有するネットワークシステムにおいて、
全ての領域相互間で論理的なパスを設定する手段と、領域内の全パケット転送装置間のリンクについて、領域間の各送受信パスと同じ量のネットワークリソースを確保する手段と、領域内の全パケット転送装置間のリンクについて、領域内の通信で用いる、ある一定の量のネットワークリソースを確保する手段と、確保したネットワークリソースの量を領域内のパケット転送装置に通知する手段と、パケット転送装置からネットワークリソースの不足が生じる可能性があることの通知を受ける手段とを有するネットワークリソース管理装置と、
ネットワークリソース管理装置から確保したネットワークリソースの量の通知を受ける手段と、ネットワークリソース管理装置へネットワークリソースの不足が生じる可能性があることの通知する手段と、領域内の他のパケット転送装置と交渉して、領域内の全パケット転送装置間のリンクについて、各送信パス毎にネットワークリソース管理装置が確保したネットワークリソースの一部を確保する手段と、領域内の他のパケット転送装置と交渉して、領域内の全パケット転送装置間のリンクについて、ネットワークリソース管理装置が確保した領域内の通信に用いるネットワークリソースの一部を確保する手段と、端末からの通信開始の要求と、その通信で必要なネットワークリソース量と通信終了の通知を受ける手段と、通信の可否を端末に通知する手段と、通信が必要とするネットワークリソース量と使用可能なネットワークリソースの量から通信の可否を判断する手段と、各通信に対して必要な量のネットワークリソースの割り当て、解放をする手段と、ネットワークリソースの使用可能な量のデータを更新する手段を有するパケット転送装置とを有することを特徴とする品質保証型ネットワークシステム。
【請求項４】
１つのネットワークリソース管理装置と少なくとも１つのパケット転送装置とを含む複数の領域を有するネットワークシステムにおいて、  全ての領域相互間で論理的なパスを設定する手段と、領域内の全パケット転送装置間のリンクについて、領域間の各送受信パスと同じ量のネットワークリソースを確保する手段と、領域内の全パケット転送装置間のリンクについて、領域内の通信で用いる、ある一定の量のネットワークリソースを確保する手段と、端末からの通信開始の要求と、その通信で必要なネットワークリソース量と通信終了の通知を受ける手段と、通信の可否を端末に通知する手段と、通信が必要とするネットワークリソース量と使用可能なネットワークリソースの量から通信の可否を判断する手段と、各通信に対して必要な量のネットワークリソースの割り当て、解放を行う手段と、ネットワークリソースの使用可能な量のデータを更新する手段を有するネットワークリソース管理装置と、
パケット転送装置とを有することを特徴とする品質保証型ネットワークシステム。
【請求項５】
１つのネットワークリソース管理装置と少なくとも１つのパケット転送装置とを含む複数の領域を有するネットワークシステムにおいて、
全ての領域相互間で論理的なパスを設定する手段と、領域内の全パケット転送装置間のリンクについて、領域間の各送受信パスと同じ量のネットワークリソースを確保する手段と、領域内の全パケット転送装置間のリンクについて、領域内の通信で用いる、ある一定の量のネットワークリソースを確保する手段と、領域内のパケット転送装置から使用、または解放したネットワークリソース量の通知を受ける手段と、ネットワークリソースが不足する可能性を領域内のパケット転送装置へ知らせる警告を発する手段と、ネットワークリソース不足の可能性が解消されたことを領域内のパケット転送装置へ知らせる手段と、ネットワークリソースの使用可能な量のデータを更新する手段とを有するネットワークリソース管理装置と、
端末からの通信開始の要求と、その通信に必要なネットワークリソース量と通信終了の通知を受ける手段と、端末へ通信の可否を通知する手段と、ネットワークリソース管理装置からネットワークリソース不足の警告を受ける手段と、ネットワークリソース管理装置からネットワークリソース不足の解消の通知を受ける手段と、使用、または解放したネットワークリソース量をネットワークリソース管理装置へ通知する手段と、ネットワークリソース管理装置からのネットワークリソース不足を知らせる警告の有無によって通信の可否を判断する手段と、各通信に対して必要なネットワークリソースの割り当て、解放を行う手段を有するパケット転送装置とを有することを特徴とする品質保証型ネットワークシステム。
【請求項６】
１つのネットワークリソース管理装置と少なくとも１つのパケット転送装置とを含む複数の領域を有するネットワークシステムにおける通信方法において、
前記ネットワークリソース管理装置が、全ての領域相互間で論理的なパスを設定し、領域内の全パケット転送装置間のリンクにおいて、領域間の各送受信パスと同じ量のネットワークリソースと、領域内の通信で用いる、ある一定の量のネットワークリソースとを確保し、領域内のパケット転送装置に使用可能なネットワークリソース量を通知し、パケット転送装置が端末からの通信開始の要求と、その通信に必要なネットワークリソース量とを受信し、その通信が必要とするネットワークリソース量と使用可能なネットワークリソース量とから通信の可否を判断して端末に通知し、通信可能の場合はその通信に対して、必要な量のネットワークリソースを割り当て、その割り当てた量をネットワークリソース管理装置へ通知し、ネットワークリソース管理装置がネットワークリソースの使用可能な量のデータを更新し、領域内のパケット転送装置に使用可能なネットワークリソース量を通知し、パケット転送装置が端末から通信終了の通知を受けて、その通信に割り当てられていたネットワークリソースの解放を行い、その解放したネットワークリソース量をネットワークリソース管理装置へ通知し、ネットワークリソース管理装置がネットワークリソースの使用可能な量のデータを更新し、領域内のパケット転送装置に使用可能なネットワークリソース量を通知することを特徴とする品質保証型通信方法。
【請求項７】
１つのネットワークリソース管理装置と少なくとも１つのパケット転送装置とを含む複数の領域を有するネットワークシステムの通信方法において、
前記ネットワークリソース管理装置が、全ての領域相互間で論理的なパスを設定し、各送信パスの容量を領域内の各パケット転送装置に任意の割合で分配し、領域内の全パケット転送装置間のリンクについて、その割り当てられた量のネットワークリソースを確保し、領域内の全パケット転送装置間のリンクについて、各受信パスと同じ量のネットワークリソースを確保し、領域内の全パケット転送装置間のリンクについて、各パケット転送装置毎に、領域内の通信で用いる、ある一定の量のネットワークリソースを確保し、領域内のパケット転送装置へ割り当てたネットワークリソースの量を通知し、パケット転送装置が端末からの通値開始の要求と、その通信で必要なネットワークリソース量を受信し、その通信が必要とするネットワークリソース量と使用可能なネットワークリソース量から通信の可否を判断して端末に通知し、通信可能の場合はその通信に対して、必要な量のネットワークリソースを割り当て、使用可能なネットワークリソース量のデータを更新し、端末から通信終了の通知を受けて、その通信に割り当てられていたネットワークリソースの解放を行い、使用可能なネットワークリソース量のデータを更新し、ネットワークリソースが不足する可能性が生じたときにネットワークリソース管理装置へネットワークリソースの割当量を増やすことを要求し、ネットワークリソース管理装置がネットワークリソースの割当量を変更することを特徴とする品質保証型通信方法。
【請求項８】
１つのネットワークリソース管理装置と少なくとも１つのパケット転送装置とを含む複数の領域を有するネットワークシステムの通信方法において、
前記ネットワークリソース管理装置が、全ての領域相互間で論理的なパスを設定し、領域内の全パケット転送装置間のリンクについて、領域間の各送受信パスと同じ量のネットワークリソースを確保し、領域内の全パケット転送装置間のリンクについて、領域内の通信で用いる、ある一定の量のネットワークリソースを確保し、確保したネットワークリソースの量を領域内のパケット転送装置に通知し、パケット転送装置が領域内の他のパケット転送装置と交渉して、領域内の全パケット転送装置間のリンクについて、各送信パス毎にネットワークリソース管理装置が確保したネットワークリソースの一部を確保し、領域内の他のパケット転送装置と交渉して、領域内の全パケット転送装置間のリンクについて、ネットワークリソース管理装置が確保した領域内の通信に用いるネットワークリソースの一部を確保し、端末からの通信開始の要求と、その通信で必要なネットワークリソース量を受信し、必要とするネットワークリソース量と使用可能なネットワークリソースの量から通信の可否を判断して端末に通知し、通信可能の場合はその通信に対して、必要な量のネットワークリソースを割り当て、ネットワークリソースの使用可能な量のデータを更新し、端末から通信終了の通知を受けて、その通信に割り当てられていたネットワークリソースの解放を行い、ネットワークリソースの使用可能な量のデータを更新し、パケット転送装置でネットワークリソースが不足する可能性が生じたときネットワーク管理装置に通知することを特徴とする品質保証型通信方法。
【請求項９】
１つのネットワークリソース管理装置と少なくとも１つのパケット転送装置とを含む複数の領域を有するネットワークシステムの通信方法において、
前記ネットワークリソース管理装置が全ての領域相互間で論理的なパスを設定し、領域内の全パケット転送装置間のリンクについて、領域間の各送受信パスと同じ量のネットワークリソースを確保し、領域内の全パケット転送装置間のリンクについて、領域内の通信で用いる、ある一定の量のネットワークリソースを確保し、端末から通信開始の要求と、その通信で必要なネットワークリソース量を受信し、その通信が必要とするネットワークリソース量と使用可能なネットワークリソースの量から通信の可否を判断して端末に通知し、通信可能の場合は、その通信に対して必要な量のネットワークリソースを割り当て、ネットワークリソースの使用可能な量のデータを更新し、端末から通信終了の通知を受けて、その通信に割り当てられていたネットワークリソースの解放を行い、ネットワークリソースの使用可能な量のデータを更新することを特徴とする品質保証型通信方法。
【請求項１０】
１つのネットワークリソース管理装置と少なくとも１つのパケット転送装置とを含む複数の領域を有するネットワークシステムの通信方法において、
前記ネットワークリソース管理装置が全ての領域相互間で論理的なパスを設定し、領域内の全パケット転送装置間のリンクについて、領域間の各送受信パスと同じ量のネットワークリソースを確保し、領域内の全パケット転送装置間のリンクについて、領域内の通信で用いる、ある一定の量のネットワークリソースを確保し、パケット転送装置が端末から通信開始の要求と、その通信に必要なネットワークリソース量を受信し、ネットワークリソース管理装置からネットワークリソース不足の警告が出ていないときは、その通信に対して必要な量のネットワークリソースを割り当て、通信を許可し、その割り当てた量をネットワークリソース管理装置へ通知し、ネットワークリソース管理装置はネットワークリソースの使用可能な量のデータを更新し、パケット転送装置が端末からの通信終了の通知を受けて、その通信に割り当てられていたネットワークリソースの解放を行い、その解放したネットワークリソース量をネットワークリソース管理装置へ通知し、ネットワークリソース管理装置はネットワークリソースの使用可能な量のデータを更新し、ネットワークリソース管理装置はネットワークリソースが不足する可能性が生じたときに領域内のパケット転送装置へ警告を発し、パケット転送装置はネットワークリソース管理装置からネットワークリソース不足の警告が出ているときは、端末からの通信要求を拒否し、ネットワークリソース管理装置がネットワークリソース不足の可能性が解消したときに領域内のパケット転送装置へ警告の解除を通知することを特徴とする品質保証型通信方法。
【発明の詳細な説明】
【０００１】
【発明の属する技術分野】
本発明は通信品質を保証したネットワークに関するものである。
【０００２】
【従来の技術】
複数の人によってネットワーク上で共同作業を行う場合、参加者は作業の進行状況に応じて情報の送受信を行うことで作業に参加し、また、作業全体が進行する。従って、参加者が意図した時刻に情報の送受信が行えないと円滑に作業が行えない。従来のＩｎｔｅｒｎｅｔ  Ｐｒｏｔｏｃｏｌ（ＩＰ）による通信ではパケットの到着や遅延時間などの通信品質を保証していないため、ネットワーク上での共同作業は困難であった。そこで、ＩＰ通信で通信品質を保証するためにＲｅｓｏｕｒｃｅ  Ｒｅｓｅｒｖａｔｉｏｎ  Ｐｒｏｔｏｃｏｌ（ＲＳＶＰ）が提案されている。
【０００３】
図２は、ＲＳＶＰの制御シーケンス図である。該図２において、２０１は送信側端末、２０２は受信側端末、２０３、２０４はパケット転送装置である。送信側端末２０１は、ユーザデータを転送するために使用する経路をＰＡＴＨメッセージを用いて受信側端末２０２に通知する。通信経路の途中にあるパケット転送装置２０３、２０４は、受信したＰＡＴＨメッセージに自分自身のＩＰアドレスを順次書き加える。受信側端末２０２は、ＰＡＴＨメッセージに含まれるパケット転送装置２０３、２０４のＩＰアドレスを逆にたどりながら予約要求メッセージ（ＲＥＳＶ）を送信側端末２０１まで転送し、パケット転送装置間のネットワークリソースの確保を行う。上記の手順により通信の開始に先立って確保されたネットワークリソースは、受信側端末２０２から送信側端末２０１にＲＥＳＶメッセージを定期的に送信することによって通信中も継続して使用することができる。ネットワークリソースの解放は、受信側端末２０２からのＲＥＳＶメッセージの再送タイムアウト、あるいは、受信側端末２０２から送信側端末２０１に通信終了を知らせるＲＥＳＶ  ＴＥＡＲメッセージを送信することによって行われる。
【０００４】
【発明が解決しようとする課題】
しかし、作業への参加者が多数になった場合、予め、作業を管理するサーバと全参加者の間、または全参加者の間をフルメッシュでコネクションを設定すると、端末とパケット転送装置を結ぶアクセス回線の容量やサーバや端末の処理能力によって参加者数が制約される。そこで、サーバが全参加者へ作業の状況がわかるような概要と参加者のリストを送り、参加者は作業の状況に応じて必要な相手とコネクションを設定して通信を行う方法が考えられる。しかし、ＲＳＶＰのような従来の方法では、通信の要求が発生してから通信経路上のパケット転送装置で順次ネットワークリソースの確保を行うために通信開始までに時間がかかり、ネットワーク上での共同作業を円滑に行えないという問題があった。
【０００５】
そこで、本発明の目的は、通信品質を保証するためにネットワークリソースの確保を必要とする通信において、通信の要求が発生してから通信開始までの時間を短縮することにある。
【０００６】
【課題を解決するための手段】
従って、本発明の品質保証型ネットワークシステムは、全ての領域相互間で論理的なパスを設定する手段と、領域内の全パケット転送装置間のリンクについて、領域間の各送受信パスと同じ量のネットワークリソースを確保する手段と、領域内の全パケット転送装置間のリンクについて、領域内の通信で用いる、ある一定の量のネットワークリソースを確保する手段と、領域内のパケット転送装置に使用可能なネットワークリソースの量を通知する手段と、領域内のパケット転送装置から使用、または解放したネットワークリソースの量の通知を受ける手段と、ネットワークリソースの使用可能な量のデータを更新する手段とを有するネットワークリソース管理装置と、
所属する領域のネットワークリソース管理装置から使用可能なネットワークリソース量の通知を受ける手段と、所属する領域のネットワークリソース管理装置へ使用、または解放したネットワークリソース量を通知する手段と、端末から通信開始の要求と、その通信が必要とするネットワークリソース量と通信終了の通知を受ける手段と、端末へ通信の可否を通知する手段と、通信が必要とするネットワークリソース量と使用可能なネットワークリソースの量から通信の可否を判断する手段と、各通信に対してネットワークリソースの割り当て、解放を行う手段とを有するパケット転送装置とを有するものである。
【０００７】
また、本発明の品質保証型ネットワークシステムは、全ての領域相互間で論理的なパスを設定する手段と、各送信パスの容量を領域内の各パケット転送装置に任意の割合で分配する手段と、領域内の全パケット転送装置間のリンクについて、その割り当てられた量のネットワークリソースを確保する手段と、領域内の全パケット転送装置間のリンクについて、各受信パスと同じ量のネットワークリソースを確保する手段と、領域内の全パケット転送装置間のリンクについて、各パケット転送装置毎に、領域内の通信で用いる、ある一定の量のネットワークリソースを確保する手段と、領域内のパケット転送装置に割り当てたネットワークリソースの量を通知する手段と、パケット転送装置からのネットワークリソースの割り当て量変更の要求を受ける手段とを有するネットワークリソース管理装置と、
ネットワークリソース管理装置から割り当てられたネットワークリソースの量の通知を受ける手段と、ネットワークリソース管理装置へネットワークリソースの割当量を増やすことを要求する手段と、端末からの通信開始の要求と、その通信が必要とするネットワークリソース量と通信終了の通知を受ける手段と、通信の可否を端末に通知する手段と、通信が必要とするネットワークリソース量と割り当てられたネットワークリソースの中で使用可能な量から通信の可否を判断する手段と、各通信に対して必要な量のネットワークリソースの割り当て、解放を行う手段と、ネットワークリソースの使用可能な量のデータを更新する手段を有するパケット転送装置とを有するものである。
【０００８】
更に、本発明の品質保証型ネットワークシステムは、全ての領域相互間で論理的なパスを設定する手段と、領域内の全パケット転送装置間のリンクについて、領域間の各送受信パスと同じ量のネットワークリソースを確保する手段と、領域内の全パケット転送装置間のリンクについて、領域内の通信で用いる、ある一定の量のネットワークリソースを確保する手段と、確保したネットワークリソースの量を領域内のパケット転送装置に通知する手段と、パケット転送装置からネットワークリソースの不足が生じる可能性があることの通知を受ける手段とを有するネットワークリソース管理装置と、
ネットワークリソース管理装置から確保したネットワークリソースの量の通知を受ける手段と、ネットワークリソース管理装置へネットワークリソースの不足が生じる可能性があることの通知する手段と、領域内の他のパケット転送装置と交渉して、領域内の全パケット転送装置間のリンクについて、各送信パス毎にネットワークリソース管理装置が確保したネットワークリソースの一部を確保する手段と、領域内の他のパケット転送装置と交渉して、領域内の全パケット転送装置間のリンクについて、ネットワークリソース管理装置が確保した領域内の通信に用いるネットワークリソースの一部を確保する手段と、端末からの通信開始の要求と、その通信で必要なネットワークリソース量と通信終了の通知を受ける手段と、通信の可否を端末に通知する手段と、通信が必要とするネットワークリソース量と使用可能なネットワークリソースの量から通信の可否を判断する手段と、各通信に対して必要な量のネットワークリソースの割り当て、解放をする手段と、ネットワークリソースの使用可能な量のデータを更新する手段を有するパケット転送装置とを有するものである。
【０００９】
更に、本発明の品質保証型ネットワークシステムは、全ての領域相互間で論理的なパスを設定する手段と、領域内の全パケット転送装置間のリンクについて、領域間の各送受信パスと同じ量のネットワークリソースを確保する手段と、領域内の全パケット転送装置間のリンクについて、領域内の通信で用いる、ある一定の量のネットワークリソースを確保する手段と、端末からの通信開始の要求と、その通信で必要なネットワークリソース量と通信終了の通知を受ける手段と、通信の可否を端末に通知する手段と、通信が必要とするネットワークリソース量と使用可能なネットワークリソースの量から通信の可否を判断する手段と、各通信に対して必要な量のネットワークリソースの割り当て、解放を行う手段と、ネットワークリソースの使用可能な量のデータを更新する手段を有するネットワークリソース管理装置と、パケット転送装置とを有するものである。
【００１０】
更に、本発明の品質保証型ネットワークシステムは、全ての領域相互間で論理的なパスを設定する手段と、領域内の全パケット転送装置間のリンクについて、領域間の各送受信パスと同じ量のネットワークリソースを確保する手段と、領域内の全パケット転送装置間のリンクについて、領域内の通信で用いる、ある一定の量のネットワークリソースを確保する手段と、領域内のパケット転送装置から使用、または解放したネットワークリソース量の通知を受ける手段と、ネットワークリソースが不足する可能性を領域内のパケット転送装置へ知らせる警告を発する手段と、ネットワークリソース不足の可能性が解消されたことを領域内のパケット転送装置へ知らせる手段と、ネットワークリソースの使用可能な量のデータを更新する手段とを有するネットワークリソース管理装置と、
端末からの通信開始の要求と、その通信に必要なネットワークリソース量と通信終了の通知を受ける手段と、端末へ通信の可否を通知する手段と、ネットワークリソース管理装置からネットワークリソース不足の警告を受ける手段と、ネットワークリソース管理装置からネットワークリソース不足の解消の通知を受ける手段と、使用、または解放したネットワークリソース量をネットワークリソース管理装置へ通知する手段と、ネットワークリソース管理装置からのネットワークリソース不足を知らせる警告の有無によって通信の可否を判断する手段と、各通信に対して必要なネットワークリソースの割り当て、解放を行う手段を有するパケット転送装置とを有するものである。
【００１１】
本発明のネットワークシステムにおける品質保証型通信方法は、ネットワークリソース管理装置が、全ての領域相互間で論理的なパスを設定し、領域内の全パケット転送装置間のリンクにおいて、領域間の各送受信パスと同じ量のネットワークリソースと、領域内の通信で用いる、ある一定の量のネットワークリソースとを確保し、領域内のパケット転送装置に使用可能なネットワークリソース量を通知し、パケット転送装置が端末からの通信開始の要求と、その通信に必要なネットワークリソース量とを受信し、その通信が必要とするネットワークリソース量と使用可能なネットワークリソース量とから通信の可否を判断して端末に通知し、通信可能の場合はその通信に対して、必要な量のネットワークリソースを割り当て、その割り当てた量をネットワークリソース管理装置へ通知し、ネットワークリソース管理装置がネットワークリソースの使用可能な量のデータを更新し、領域内のパケット転送装置に使用可能なネットワークリソース量を通知し、パケット転送装置が端末から通信終了の通知を受けて、その通信に割り当てられていたネットワークリソースの解放を行い、その解放したネットワークリソース量をネットワークリソース管理装置へ通知し、ネットワークリソース管理装置がネットワークリソースの使用可能な量のデータを更新し、領域内のパケット転送装置に使用可能なネットワークリソース量を通知するものである。
【００１２】
また、本発明のネットワークシステムにおける品質保証型通信方法は、ネットワークリソース管理装置が、全ての領域相互間で論理的なパスを設定し、各送信パスの容量を領域内の各パケット転送装置に任意の割合で分配し、領域内の全パケット転送装置間のリンクについて、その割り当てられた量のネットワークリソースを確保し、領域内の全パケット転送装置間のリンクについて、各受信パスと同じ量のネットワークリソースを確保し、領域内の全パケット転送装置間のリンクについて、各パケット転送装置毎に、領域内の通信で用いる、ある一定の量のネットワークリソースを確保し、領域内のパケット転送装置へ割り当てたネットワークリソースの量を通知し、パケット転送装置が端末からの通値開始の要求と、その通信で必要なネットワークリソース量を受信し、その通信が必要とするネットワークリソース量と使用可能なネットワークリソース量から通信の可否を判断して端末に通知し、通信可能の場合はその通信に対して、必要な量のネットワークリソースを割り当て、使用可能なネットワークリソース量のデータを更新し、端末から通信終了の通知を受けて、その通信に割り当てられていたネットワークリソースの解放を行い、使用可能なネットワークリソース量のデータを更新し、ネットワークリソースが不足する可能性が生じたときにネットワークリソース管理装置へネットワークリソースの割当量を増やすことを要求し、ネットワークリソース管理装置がネットワークリソースの割当量を変更するものである。
【００１３】
更に、本発明のネットワークシステムにおける品質保証型通信方法は、ネットワークリソース管理装置が、全ての領域相互間で論理的なパスを設定し、領域内の全パケット転送装置間のリンクについて、領域間の各送受信パスと同じ量のネットワークリソースを確保し、領域内の全パケット転送装置間のリンクについて、領域内の通信で用いる、ある一定の量のネットワークリソースを確保し、確保したネットワークリソースの量を領域内のパケット転送装置に通知し、パケット転送装置が領域内の他のパケット転送装置と交渉して、領域内の全パケット転送装置間のリンクについて、各送信パス毎にネットワークリソース管理装置が確保したネットワークリソースの一部を確保し、領域内の他のパケット転送装置と交渉して、領域内の全パケット転送装置間のリンクについて、ネットワークリソース管理装置が確保した領域内の通信に用いるネットワークリソースの一部を確保し、端末からの通信開始の要求と、その通信で必要なネットワークリソース量を受信し、必要とするネットワークリソース量と使用可能なネットワークリソースの量から通信の可否を判断して端末に通知し、通信可能の場合はその通信に対して、必要な量のネットワークリソースを割り当て、ネットワークリソースの使用可能な量のデータを更新し、端末から通信終了の通知を受けて、その通信に割り当てられていたネットワークリソースの解放を行い、ネットワークリソースの使用可能な量のデータを更新し、パケット転送装置でネットワークリソースが不足する可能性が生じたときネットワーク管理装置に通知するものである。
【００１４】
更に、本発明のネットワークシステムにおける品質保証型通信方法は、ネットワークリソース管理装置が全ての領域相互間で論理的なパスを設定し、領域内の全パケット転送装置間のリンクについて、領域間の各送受信パスと同じ量のネットワークリソースを確保し、領域内の全パケット転送装置間のリンクについて、領域内の通信で用いる、ある一定の量のネットワークリソースを確保し、端末から通信開始の要求と、その通信で必要なネットワークリソース量を受信し、その通信が必要とするネットワークリソース量と使用可能なネットワークリソースの量から通信の可否を判断して端末に通知し、通信可能の場合は、その通信に対して必要な量のネットワークリソースを割り当て、ネットワークリソースの使用可能な量のデータを更新し、端末から通信終了の通知を受けて、その通信に割り当てられていたネットワークリソースの解放を行い、ネットワークリソースの使用可能な量のデータを更新するものである。
【００１５】
更に、本発明のネットワークシステムにおける品質保証型通信方法は、ネットワークリソース管理装置が全ての領域相互間で論理的なパスを設定し、領域内の全パケット転送装置間のリンクについて、領域間の各送受信パスと同じ量のネットワークリソースを確保し、領域内の全パケット転送装置間のリンクについて、領域内の通信で用いる、ある一定の量のネットワークリソースを確保し、パケット転送装置が端末から通信開始の要求と、その通信に必要なネットワークリソース量を受信し、ネットワークリソース管理装置からネットワークリソース不足の警告が出ていないときは、その通信に対して必要な量のネットワークリソースを割り当て、通信を許可し、その割り当てた量をネットワークリソース管理装置へ通知し、ネットワークリソース管理装置はネットワークリソースの使用可能な量のデータを更新し、パケット転送装置が端末からの通信終了の通知を受けて、その通信に割り当てられていたネットワークリソースの解放を行い、その解放したネットワークリソース量をネットワークリソース管理装置へ通知し、ネットワークリソース管理装置はネットワークリソースの使用可能な量のデータを更新し、ネットワークリソース管理装置はネットワークリソースが不足する可能性が生じたときに領域内のパケット転送装置へ警告を発し、パケット転送装置はネットワークリソース管理装置からネットワークリソース不足の警告が出ているときは、端末からの通信要求を拒否し、ネットワークリソース管理装置がネットワークリソース不足の可能性が解消したときに領域内のパケット転送装置へ警告の解除を通知するものである。
【００１６】
【発明の実施の形態】
以下では、図面を用いて、本発明の実施形態について詳細に説明する。
【００１７】
最初に、本発明による第１の実施形態について説明する。
【００１８】
図１は、第１の実施形態おける品質保証型ネットワークシステムの構成図である。
【００１９】
図１では、１０１はネットワーク、１０２〜１０５はネットワークリソースを管理するための領域、１０６〜１１５はパケット転送装置、１１６〜１１９はネットワークリソース管理装置、１２０、１２１は端末、１２２、１２３、１２４、１２５は各領域を結ぶ伝送路である。
【００２０】
図３は、領域１０２にある端末から領域１０３にある端末へ品質保障と短時間での通信開始が必要な通信をするためにリソースを確保する説明図である。
【００２１】
図３より、管理装置１１６と管理装置１１７が伝送路１２２上に容量ａの論理パスを設定し、領域１０２では管理装置１１６が全てのパケット転送装置間のリンクで論理パスと同じ量ａのリソースの確保を行い、領域１０３では管理装置１１６から要請を受けた管理装置１１７が全てのパケット転送装置間のリンクで論理パスと同じ量ａのリソースの確保を行う。
【００２２】
図４は、端末１２０が端末１２１へ品質保障と短時間での通信開始が必要な通信を行う場合における、管理装置、パケット転送装置、端末間の情報のやりとりの説明図である。
【００２３】
図４では、管理装置１１６はパケット転送装置１０６に確保したリソース量ａの中で使用されてない量を予め通知しておく。端末１２０は通信を始める前に接続されているパケット転送装置１０６に対して端末１２１への通信に必要なリソースの量を通知する。パケット転送装置１０６は管理装置１１６から知らされているリソースの空き容量と比較して、通信可能な場合は端末１２０へ通信許可を与え、端末１２０から端末１２１への通信に対して必要な量のリソースを割り当てる。端末１２０はパケット転送装置１０６から通信許可を受け取った後、端末１２１宛のパケットを送信する。パケット転送装置１０６は管理装置１１６へ、端末１２０から端末１２１への通信で使用したリソース量を通知する。
【００２４】
通信が終了したとき、端末１２０はパケット転送装置１０６に通信終了を通知する。パケット転送装置１０６はリソースの解放を行い、管理装置１１６へ解放したリソース量を通知する。
【００２５】
管理装置１１６はパケット転送装置１０６〜１０８より、領域１０２から領域１０３への通信で使用、または解放されたリソース量の通知を受けて、領域１０２から領域１０３への通信に使用可能なリソース量を更新し、その情報をパケット転送装置１０６〜１０８に通知する。
【００２６】
端末１２０からの要求に対してリソースが不足する場合、パケット転送装置１０６は通信拒否を端末１２０に通知する。
【００２７】
図５は、領域内で品質保証と短時間での通信開始が必要な通信を行うためにリソースを確保する様子を示す説明図である。
【００２８】
図５は、領域１０２内で管理装置１１６は全てのパケット転送装置間のリンクで量ｅのリソースを確保する。通信手順は端末１２０、１２１間での通信と同様である。
【００２９】
端末１２０からパケット転送装置１０６の間と端末１２１からパケット転送装置１１１の間では、必要なリソースの確保をそれぞれ端末１２０、１２１が行う。もし、受信端末が受信情報を処理する準備ができていない場合、パケットの到着後に、アプリケーションの立ち上げ等、受信情報を処理する準備を始めることになり、この準備に時間がかかるので通信開始までの時間だけを短縮しても、その効果が期待できない。従って、短時間での通信開始が必要な通信は一般に、受信端末が予め受信情報を処理する準備ができているときに使用することになる。よって、端末１２１は受信の準備をするときに、端末１２１からパケット転送装置１１１の間で必要なリソースを確保し、端末１２０も送信前に端末１２０からパケット転送装置１０６の間で必要なリソースの確保を行う。
【００３０】
また、受信端末で受信の準備ができている場合は、一般に受信情報のアプリケーションが特定されているときであるから、パケット転送装置、端末間で確保されたリソース以上の量の情報が送られないように、アプリケーション上で規制する。
【００３１】
同様に、管理装置１１６は他の領域１０４、１０５への通信のためにリソースの確保と管理を行う。また、管理装置１１７、１１８、１１９及びパケット転送装置１０９〜１１５も管理装置１１６及びパケット転送装置１０６〜１０８と同様の作業を行う。
【００３２】
前記の通信方法では、通信要求が集中した場合、パケット転送装置が管理装置から更新されたデータを受け取る前に通信許可を与えてしまい、リソースが不足することが考えられる。このような場合に備えて、管理装置は通信許可を与えるリソースの量よりも十分多くのリソースを確保しておく。
【００３３】
前記の通信方法の場合、管理装置１１６が領域１０２を送信元とする通信のために確保したリソースは他の領域１０３、１０４、１０５を送信元とする通信には使用できない。また、端末１２０から端末１２１へ転送されるパケットの経路がパケット転送装置１０６、１０８、１０９、１１１とすると、リソースは領域毎で管理されるために、実際はパケットの通らないパケット転送装置１０７や１１０のリソースも使用中とされてしまい、このリソースを他のユーザは使用できなくなる。このような管理上の問題で使用できないリソースを有効利用するために、遅延時間の制約の緩い非リアルタイム通信のパケット転送を同じネットワークで行ってもよい。パケット転送装置内では品質保障と短時間での通信開始が必要な通信のパケットを優先的に処理し、非リアルタイム通信のパケットはその処理の空き時間を使って処理することで、管理上使用中となっているが、実際は使用されていないリソースを利用できる。
【００３４】
次に、本発明による第２の実施形態について説明する。該第２実施形態では、品質保証型ネットワークシステムの構成は図１の構成図と同様である。
【００３５】
図６は、領域１０２にある端末から領域１０３にある端末へ品質保障と短時間での通信開始が必要な通信をするためにリソースを確保する様子を示す説明図である。
【００３６】
図６では、管理装置１１６と管理装置１１７が伝送路１２２上に容量ａの論理パスを設定し、領域１０２では管理装置１１６がパケット転送装置１０６〜１０８に論理パスの容量ａを需要に応じて分配し、それぞれに量ｂ、ｃ、ｄのリソースを割り当てる（ｂ＋ｃ＋ｄ＝ａ）。そして、領域１０２内の全パケット転送装置間のリンクでパケット転送装置１０６〜１０８のために、量ｂ、ｃ、ｄのリソースを確保する。領域１０３では管理装置１１６から要請を受けた管理装置１１７が全てのパケット転送装置間のリンクで量ａのリソースを確保する。
【００３７】
管理装置１１６は領域１０２内のパケット転送装置１０６〜１０８へ、それぞれに割り当てたリソース量ｂ、ｃ、ｄを通知する。
【００３８】
図７は、端末１２０が端末１２１へ、品質保障と短時間での通信開始が必要な通信を行う場合を例に管理装置、パケット転送装置、端末間の情報のやりとりを示す説明図である。
【００３９】
図７では、端末１２０は通信を始める前に、接続されているパケット転送装置１０６に対して端末１２１への通信に必要なリソースの量を通知する。パケット転送装置１０６は割り当てられたリソース量ｂの中で使用可能な量と比較して、通信可能な場合は端末１２０へ通信許可を与え、必要な量のリソースを割り当てる。端末１２０はパケット転送装置１０６から通信許可を受け取った後、端末１２１宛のパケットを送信する。通信が終了したとき、端末１２０はパケット転送装置１０６に通信終了を通知する。パケット転送装置１０６はその通信に割り当てられていたリソースの解放を行う。パケット転送装置１０６は接続されている端末より、領域１０２から領域１０３への通信で使用するリソース量、または通信終了の通知を受けて、領域１０２から領域１０３へのリソースの空き容量の情報を更新する。
【００４０】
端末１２０からの要求に対してリソースが不足する場合、パケット転送装置１０６は通信拒否を端末１２０に通知する。
【００４１】
パケット転送装置１０６はリソース不足の可能性が生じたとき、管理装置１１６にリソースの割当量を上積みすることを要請する。
【００４２】
管理装置１１６はパケット転送装置１０６〜１０８より、リソース割当量の上積み要求を受けて、リソースの割当量の変更を行う。
【００４３】
図８は、領域内で品質保証と短時間での通信開始が必要な通信を行うためにリソースを確保する様子を示す説明図である。
【００４４】
図８では、管理装置１１６は領域１０２内のパケット転送装置１０６〜１０８にそれぞれ量ｆ、ｇ、ｈのリソースを割り当て、領域１０２内全てのリンクでパケット転送装置１０６〜１０８のためにそれぞれ量ｆ、ｇ、ｈのリソースを確保する。通信手順は端末１２０、１２１間での通信と同様である。
【００４５】
同様に、管理装置１１６は他の領域１０４、１０５への通信のためにリソースの確保と管理を行う。また、管理装置１１７、１１８、１１９及びパケット転送装置１０９〜１１５も管理装置１１６及びパケット転送装置１０６〜１０８と同様の作業を行う。
【００４６】
次に、本発明による第３の実施形態について説明する。該第３の実施形態では、品質保証型ネットワークシステムの構成は図１の構成図と同様である。
【００４７】
図９は、領域１０２にある端末から領域１０３にある端末へ品質保障と短時間での通信開始が必要な通信をするためにリソースを確保する様子を示す説明図である。
【００４８】
図９では、管理装置１１６と管理装置１１７が伝送路１２２上に容量ａの論理パスを設定し、領域１０２において、管理装置１１６が全てのパケット転送装置間のリンクで論理パスと同じ量ａのリソースを確保し、そのリソース量をパケット転送装置１０６〜１０８に通知する。パケット転送装置１０６〜１０８は互いに交渉して需要に応じてリソース量ａを分配し、それぞれ量ｂ、ｃ、ｄのリソースを確保する（ｂ＋ｃ＋ｄ＝ａ）。そして、パケット転送装置１０６、１０７、１０８は全てのパケット転送装置間のリンクで、それぞれ量ｂ、ｃ、ｄのリソースを確保する。
【００４９】
また、領域１０３では管理装置１１７が全てのパケット転送装置間のリンクで論理パスと同じ量ａのリソースを確保する。
【００５０】
図１０は、端末１２０が端末１２１へ、品質保障と短時間での通信開始が必要な通信を行う場合を例に管理装置、パケット転送装置、端末間の情報のやりとりを示す説明図である。
【００５１】
図１０では、端末１２０は通信を始める前に、接続されているパケット転送装置１０６に対して端末１２１への通信に必要なリソースの量を通知する。パケット転送装置１０６は確保してあるリソース量ｂの中で使用可能な量と比較して通信可能な場合は端末１２０へ通信許可を与え、必要な量のリソースを割り当てる。端末１２０はパケット転送装置１０６から通信許可を受け取った後、端末１２１宛のパケットを送信する。通信が終了したとき、端末１２０はパケット転送装置１０６に通信終了を通知する。パケット転送装置１０６はその通信に割り当てられていたリソースの解放を行う。パケット転送装置１０６は接続されている端末より、領域１０２から領域１０３への通信で使用するリソース量、または通信終了の通知を受けて、領域１０２から領域１０３へのリソースの空き容量の情報を更新する。
【００５２】
端末１２０からの要求に対してリソースが不足する場合、パケット転送装置１０６は通信拒否を端末１２０に通知する。
【００５３】
パケット転送装置１０６〜１０８のいずれかでリソース不足の可能性が生じたとき、パケット転送装置１０６〜１０８は交渉してリソースの割当量を変更する。
【００５４】
また、領域１０２全体でリソースが不足した場合、管理装置１１６が確保しているリソースを上積みしなければならないので、パケット転送装置１０６〜１０８はリソース不足の可能性が生じたときは管理装置１１６へも通知する。
【００５５】
図１１は、領域内で品質保証と短時間での通信開始が必要な通信を行うためにリソースを確保する様子を示す説明図である。
【００５６】
図１１では、管理装置１１６は領域１０２内の全てのリンクで量ｅのリソースを確保し、パケット転送装置１０６〜１０８に通知する。パケット転送装置１０６〜１０８は交渉して、それぞれの必要に応じて領域１０２内全てのリンクで量ｆ、ｇ、ｈのリソースを確保する（ｆ＋ｇ＋ｈ＝ｅ）。通信手順は端末１２０、１２１間での通信と同様である。
【００５７】
同様に、管理装置１１６は他の領域１０４、１０５への通信のためにリソースの確保と管理を行う。また、管理装置１１７、１１８、１１９及びパケット転送装置１０９〜１１５も管理装置１１６及びパケット転送装置１０６〜１０８と同様の作業を行う。
【００５８】
次に、本発明による第４の実施形態について説明する。該第４の実施形態では、品質保証型ネットワークシステムの構成は図１の構成図と同様である。
【００５９】
図１２は、領域１０２にある端末から領域１０３にある端末へ品質保障と短時間での通信開始が必要な通信をするためにリソースを確保する様子を示す説明図である。
【００６０】
図１２では、管理装置１１６と管理装置１１７が伝送路１２２上に容量ａの論理パスを設定し、領域１０２では管理装置１１６が全てのパケット転送装置間のリンクで論理パスと同じ量ａのリソースの確保を行い、領域１０３では管理装置１１６から要請を受けた管理装置１１７が全てのパケット転送装置間のリンクで論理パスと同じ量ａのリソースの確保を行う。
【００６１】
図１３は、端末１２０が端末１２１へ品質保障と短時間での通信開始が必要な通信を行う場合を例に管理装置、パケット転送装置、端末間の情報のやりとりを示す説明図である。
【００６２】
図１３では、端末１２０は通信を始める前に、接続されているパケット転送装置１０６を経由して管理装置１１６に対して端末１２１への通信に必要なリソースの量を通知する。管理装置１１６はリソースの空き容量と比較して、通信可能な場合は端末１２０へ通信許可を与え、端末１２０から端末１２１への通信に対して必要な量のリソースを割り当てる。端末１２０は管理装置１１６から通信許可を受け取った後、端末１２１宛のパケットを送信する。通信が終了したとき、端末１２０は管理装置１１６に通信終了を通知する。管理装置１１６はその通信に割り当てられていたリソースの解放を行う。管理装置１１６は領域１０２内の端末より、領域１０２から領域１０３への通信で使用するリソース量、または通信終了の通知を受けて、領域１０２から領域１０３への通信に使用可能なリソース量を更新する。端末１２０からの要求に対してリソースが不足する場合、管理装置１１６は通信拒否を端末１２０に通知する。
【００６３】
図１４は、領域内で品質保証と短時間での通信開始が必要な通信を行うためにリソースを確保する様子を示す説明図である。領域１０２内で管理装置１１６は全てのパケット転送装置間のリンクで量ｅのリソースを確保する。通信手順は端末１２０、１２１間での通信と同様である。
【００６４】
同様に、管理装置１１６は他の領域１０４、１０５への通信のためにリソースの確保と管理を行う。また、管理装置１１７、１１８、１１９も管理装置１１６と同様の作業を行う。
【００６５】
次に、本発明による第５の実施形態について説明する。該第５の実施形態では、品質保証型ネットワークシステムの構成は図１の構成図と同様である。
【００６６】
図１５は、領域１０２にある端末から領域１０３にある端末へ品質保障と短時間での通信開始が必要な通信をするためにリソースを確保する様子を示す説明図である。
【００６７】
図１５では、管理装置１１６と管理装置１１７が伝送路１２２上に容量ａの論理パスを設定し、領域１０２では管理装置１１６が全てのパケット転送装置間のリンクで論理パスと同じ量ａのリソースの確保を行い、領域１０３では管理装置１１６から要請を受けた管理装置１１７が全てのパケット転送装置間のリンクで論理パスと同じ量ａのリソースの確保を行う。
【００６８】
図１６は、端末１２０が端末１２１へ品質保障と短時間での通信開始が必要な通信を行う場合を例に管理装置、パケット転送装置、端末間の情報のやりとりを示す説明図である。
【００６９】
図１６では、端末１２０は通信を始める前に、接続されているパケット転送装置１０６に対して端末１２１への通信に必要なリソースの量を通知する。パケット転送装置１０６は管理装置１１６からリソース不足の警告が出されていない場合は端末１２０へ通信許可を与え、端末１２０から端末１２１への通信に対して必要な量のリソースを割り当てる。端末１２０はパケット転送装置１０６から通信許可を受け取った後、端末１２１宛のパケットを送信する。パケット転送装置１０６は管理装置１１６へ、端末１２０から端末１２１への通信で使用したリソース量を通知する。
【００７０】
通信が終了したとき、端末１２０はパケット転送装置１０６に通信終了を通知する。パケット転送装置１０６はその通信に割り当てられていたリソースの解放を行い、管理装置１１６へ解放したリソース量を通知する。
【００７１】
管理装置１１６はパケット転送装置１０６〜１０８より、領域１０２から領域１０３への通信で使用、または解放されたリソース量の通知を受けて、領域１０２から領域１０３への通信に使用可能なリソース量を更新し、リソースが不足する可能性が生じたときパケット転送装置１０６〜１０８に警告を出す。
【００７２】
管理装置１１６からリソース不足の警告が出されているとき、パケット転送装置１０６は通信拒否を端末１２０に通知する。
【００７３】
図１７は、領域内で品質保証と短時間での通信開始が必要な通信を行うためにリソースを確保する様子を示す説明図である。領域１０２内で管理装置１１６は全てのパケット転送装置間のリンクで量ｅのリソースを確保する。通信手順は端末１２０、１２１間での通信と同様である。
【００７４】
前記の通信方法では、通信要求が集中した場合、パケット転送装置が管理装置からリソース不足の警告を受け取る前に通信許可を与えてしまい、リソースが不足することが考えられる。このような場合に備えて、管理装置は通信許可を与えるリソースの量よりも十分多くのリソースを確保しておく。
【００７５】
同様に、管理装置１１６は他の領域１０４、１０５への通信のためにリソースの確保と管理を行う。また、管理装置１１７、１１８、１１９及びパケット転送装置１０９〜１１５も管理装置１１６及びパケット転送装置１０６〜ｌ０８と同様の作業を行う。
【００７６】
次に、本発明による第６の実施形態について説明する。該第６の実施形態では、品質保証型ネットワークシステムの構成は図１の構成図と同様である。
【００７７】
１０１はネットワーク、１０２〜１０５はネットワークリソースを管理するための領域、１０６〜１１５はパケット転送装置、１１６〜１１９はネットワークリソース管理装置、１２０、１２１は端末、１２２、１２３、１２４、１２５は各領域を結ぶ伝送路である。
【００７８】
図１８は、端末１２０から端末１２１へ品質保障と短時間での通信開始が必要な通信をする手順を示す説明図である。
【００７９】
図１８では、予め管理装置１１６と管理装置１１７が伝送路１２２上に論理パスを設定し、領域１０２では管理装置１１６が全てのパケット転送装置間のリンクで論理パスと同じ量のリソースの確保を行い、領域１０３では管理装置１１６から要請を受けた管理装置１１７が全てのパケット転送装置間のリンクで論理パスと同じ量のリソースの確保を行う。
【００８０】
管理装置１１６はパケット転送装置１０６に確保したリソース量の中で使用されてない量を予め通知しておく。端末１２０は通信を始める前に接続されているパケット転送装置１０６に対して端末１２１への通信開始の要求と、その通信に必要なリソースの量を通知する。パケット転送装置１０６は管理装置１１６から知らされているリソースの空き容量と比較して、通信可能な場合は端末１２０から端末１２１への通信に対して必要な量のリソースを割り当て、端末１２０へ通信許可を与える。パケット転送装置１０６は管理装置１１６へ使用したリソース量を通知し、管理装置１１６は使用可能なリソース量のデータを更新し、その情報を領域１０２内のパケット転送装置１０６〜１０８に通知する。端末１２０はパケット転送装置１０６から通信許可を受け取った後、端末１２１宛のパケットを送信する。
【００８１】
通信が終了したとき、端末１２０はパケット転送装置１０６に通信終了を通知する。パケット転送装置１０６はリソースの解放を行い、管理装置１１６へ解放したリソース量を通知する。管理装置１１６は使用可能なリソース量のデータを更新し、その情報を領域１０２内のパケット転送装置１０６〜１０８に通知する。
【００８２】
端末１２０からの要求に対してリソースが不足する場合、パケット転送装置１０６は通信拒否を端末１２０に通知する。
【００８３】
領域１０２内の端末間で品質保証と短時間での通信開始が必要な通信を行う場合、予め管理装置１１６が領域１０２内の全パケット転送装置間のリンクで、ある一定量のリソースを確保する。通信手順は端末１２０、１２１間での通信と同様である。
【００８４】
同様に、管理装置１１６は他の領域１０４、１０５への通信のためにリソースの確保と管理を行う。また、管理装置１１７、１１８、１１９及びパケット転送装置１０９〜１１５も管理装置１１６及びパケット転送装置１０６〜１０８と同様の作業を行う。
【００８５】
前記の通信方法では、通信要求が集中した場合、パケット転送装置が管理装置から更新されたデータを受け取る前に通信許可を与えてしまい、リソースが不足することが考えられる。このような場合に備えて、管理装置は通信許可を与えるリソースの量よりも十分多くのリソースを確保しておく。
【００８６】
次に、本発明による第７の実施形態について説明する。該第７の実施形態では、品質保証型ネットワークシステムの構成は図１の構成図と同様である。
【００８７】
図１９は、端末１２０から端末１２１へ品質保障と短時間での通信開始が必要な通信をする手順を示す説明図である。
【００８８】
図１９では、予め管理装置１１６と管理装置１１７が伝送路１２２上に論理パスを設定し、領域１０２では管理装置１１６がパケット転送装置１０６〜１０８に論理パスの容量を需要に応じて分配する。そして、領域１０２内の全パケット転送装置間のリンクでパケット転送装置１０６〜１０８のために、それぞれのパケット転送装置に割り当てられた量のリソースを確保する。領域１０３では管理装置１１６から要請を受けた管理装置１１７が全てのパケット転送装置間のリンクで領域間の論理パスと同じ量のリソースを確促する。
【００８９】
管理装置１１６は領域１０２内のパケット転送装置１０６〜１０８へそれぞれに割り当てたリソース量を通知する。
【００９０】
端末１２０が端末１２１へ、品質保障と短時間での通信開始が必要な通信を行う場合、端末１２０は通信を始める前に、接続されているパケット転送装置１０６に対して端末１２１への通信開始の要求と、その通信に必要なリソースの量を通知する。パケット転送装置１０６は割り当てられたリソースの中で使用可能な量と比較して、通信可能な場合は必要な量のリソースを割り当て、端末１２０へ通信許可を与え、使用可能なリソース量のデータを更新する。端末１２０はパケット転送装置１０６から通信許可を受け取った後、端末１２１宛のパケットを送信する。通信が終了したとき、端末１２０はパケット転送装置１０６に通信終了を通知する。パケット転送装置１０６はその通信に割り当てられていたリソースの解放を行い、使用可能なリソース量のデータを更新する。
【００９１】
端末１２０からの要求に対してリソースが不足する場合、パケット転送装置１０６は通信拒否を端末１２０に通知する。
【００９２】
パケット転送装置１０６はリソース不足の可能性が生じたとき、管理装置１１６にリソースの割当量を上積みを要請する。
【００９３】
管理装置１１６はパケット転送装置１０６〜１０８より、リソース割当量の上積み要求を受けて、リソースの割当量の変更を行う。
【００９４】
領域１０２内の端末間で品質保証と短時間での通信開始が必要な通信を行う場合、予め管理装置１１６が領域１０２内のパケット転送装置１０６〜１０８にそれぞれ適当な量のリソースを割り当て、領域１０２内の全パケット転送装置間のリンクで、パケット転送装置１０６〜１０８のそれぞれに割り当てられた量のリソースを確保する。通信手順は端末１２０、１２１間での通信と同様である。
【００９５】
同様に、管理装置１１６は他の領域１０４、１０５への通信のためにリソースの確保と管理を行う。また、管理装置１１７、１１８、１１９及びパケット転送装置１０９〜１１５も管理装置１１６及びパケット転送装置１０６〜１０８と同様の作業を行う。
【００９６】
次に、本発明による第８の実施形態について説明する。該第８の実施形態では、品質保証型ネットワークシステムの構成は図１の構成図と同様である。
【００９７】
図２０は、端末１２０から端末１２１へ品質保障と短時間での通信開始が必要な通信をする手順を示す説明図である。
【００９８】
図２０では、予め管理装置１１６と管理装置１１７が伝送路１２２上に論理パスを設定し、領域１０２において、管理装置１１６が全てのパケット転送装置間のリンクで論理パスと同じ量のリソースを確保し、そのリソース量をパケット転送装置１０６〜１０８に通知する。そのリソースをパケット転送装置１０６〜１０８は互いに交渉して需要に応じて分配し、全てのパケット転送装置間のリンクで、それぞれが獲得した量のリソースを確保する。
【００９９】
また、領域１０３では管理装置１１７が全てのパケット転送装置間のリンクで論理パスと同じ量のリソースを確保する。
【０１００】
端末１２０が端末１２１へ品質保障と短時間での通信開始が必要な通信を行う場合、端末１２０は通信を始める前に、接続されているパケット転送装置１０６に対して端末１２１への通信開始の要求と、その通信に必要なリソースの量を通知する。パケット転送装置１０６は確保してあるリソースの中で使用可能な量と比較して通信可能な場合は必要な量のリソースを割り当て、端末１２０へ通信許可を与え、使用可能なリソース量のデータを更新する。端末１２０はパケット転送装置１０６から通信許可を受け取った後、端末１２１宛のパケットを送信する。通信が終了したとき、端末１２０はパケット転送装置１０６に通信終了を通知する。パケット転送装置１０６はその通信に割り当てられていたリソースの解放を行い、使用可能なリソース量のデータを更新する。
【０１０１】
端末１２０からの要求に対してリソースが不足する場合、パケット転送装置１０６は通信拒否を端末１２０に通知する。
【０１０２】
パケット転送装置１０６〜１０８のいずれかでリソース不足の可能性が生じたとき、パケット転送装置１０６〜１０８は交渉してリソースの割当量を変更する。
【０１０３】
また、領域１０２全体でリソースが不足した場合、管理装置１１６が確保しているリソースを上積みしなければならないので、パケット転送装置１０６〜１０８はリソース不足の可能性が生じたときは管理装置１１６へも通知する。
【０１０４】
領域１０２内の端末間で品質保証と短時間での通信開始が必要な通信を行う場合、予め管理装置１１６が領域１０２内の全パケット転送装置間のリンクで、ある一定のリソースを確保し、パケット転送装置１０６〜１０８に通知する。そのリソースをパケット転送装置１０６〜１０８は互いに交渉して需要に応じて分配し、全てのパケット転送装置間のリンクで、それぞれが獲得した量のリソースを確保する。通信手順は端末１２０、１２１間での通信と同様である。
【０１０５】
同様に、管理装置１１６は他の領域１０４、１０５への通信のためにリソースの確保と管理を行う。また、管理装置１１７、１１８、１１９及びパケット転送装置１０９〜１１５も管理装置１１６及びパケット転送装置１０６〜１０８と同様の作業を行う。
【０１０６】
次に、本発明による第９の実施形態について説明する。該第９の実施形態では、品質保証型ネットワークシステムの構成は図１の構成図と同様である。
【０１０７】
図２１は、端末１２０から端末１２１へ品質保障と短時間での通信開始が必要な通信をする手順を示す説明図である。
【０１０８】
図２１では、予め管理装置１１６と管理装置１１７が伝送路１２２上に論理パスを設定し、領域１０２では管理装置１１６が全てのパケット転送装置間のリンクで論理パスと同じ量のリソースの確保を行い、領域１０３では管理装置１１６から要請を受けた管理装置１１７が全てのパケット転送装置間のリンクで論理パスと同じ量のリソースの確保を行う。
【０１０９】
端末１２０が端末１２１へ品質保障と短時間での通信開始が必要な通信を行う場合、端末１２０は通信を始める前に、接続されているパケット転送装置１０６を経由して管理装置１１６に対して端末１２１への通信開始の要求と、その通信に必要なリソースの量を通知する。管理装置１１６はリソースの空き容量と比較して、通信可能な場合は端末１２０から端末１２１への通信に対して必要な量のリソースを割り当て、端末１２０へ通信許可を与え、使用可能なリソース量のデータを更新する。端末１２０は管理装置１１６から通信許可を受け取った後、端末１２１宛のパケットを送信する。通信が終了したとき、端末１２０は管理装置１１６に通信終了を通知する。管理装置１１６はその通信に割り当てられていたリソースの解放を行い、使用可能なリソース量のデータを更新する。
【０１１０】
端末１２０からの要求に対してリソースが不足する場合、管理装置１１６は通信拒否を端末１２０に通知する。
【０１１１】
領域１０２内の端末間で品質保証と短時間での通信開始が必要な通信を行う場合、予め管理装置１１６が領域１０２内の全パケット転送装置間のリンクで、ある一定量のリソースを確保する。通信手順は端末１２０、１２１間での通信と同様である。
【０１１２】
同様に、管理装置１１６は他の領域１０４、１０５への通信のためにリソースの確保と管理を行う。また、管理装置１１７、１１８、１１９も管理装置１１６と同様の作業を行う。
【０１１３】
次に、本発明による第１０の実施形態について説明する。該第１０の実施形態では、品質保証型ネットワークシステムの構成は図１の構成図と同様である。
【０１１４】
図２２は、端末１２０から端末１２１へ品質保障と短時間での通信開始が必要な通信をする手順を示す説明図である。
【０１１５】
図２２では、予め管理装置１１６と管理装置１１７が伝送路１２２上に諭理パスを設定し、領域１０２では管理装置１１６が全てのパケット転送装置間のリンクで論理パスと同じ量のリソースの確保を行い、領域１０３では管理装置１１６から要請を受けた管理装置１１７が全てのパケット転送装置間のリンクで論理パスと同じ量のリソースの確保を行う。
【０１１６】
端末１２０が端末１２１へ品質保障と短時間での通信開始が必要な通信を行う場合、端末１２０は通信を始める前に、接続されているパケット転送装置１０６に対して端末１２１への通信開始の要求と、その通信に必要なリソース量を通知する。パケット転送装置１０６は管理装置１１６からリソース不足の警告が出されていない場合は端末１２０から端末１２１への通信に対して必要な量のリソースを割り当て、端末１２０へ通信許可を与える。端末１２０はパケット転送装置１０６から通信許可を受け取った後、端末１２１宛のパケットを送信する。パケット転送装置１０６は管理装置１１６へ、端末１２０から端末１２１への通信で使用したリソース量を通知し、管理装置１１６は使用可能なリソース量を更新する。
【０１１７】
通信が終了したとき、端末１２０はパケット転送装置１０６に通信終了を通知する。パケット転送装置１０６はその通信に割り当てられていたリソースの解放を行い、管理装置１１６へ解放したリソース量を通知し、管理装置１１６は使用可能なリソース量を更新する。
【０１１８】
管理装置１１６はリソースが不足する可能性が生じたときパケット転送装置１０６〜１０８に警告を出す。管理装置１１６からリソース不足の警告が出されているとき、パケット転送装置１０６は端末１２０からの要求に対して通信拒否を通知する。また、管理装置１１６はリソース不足の可能性が解消されたときパケット転送装置１０６〜１０８に警告解除を通知する。
【０１１９】
領域１０２内の端末間で品質保証と短時間での通信開始が必要な通信を行う場合、予め管理装置１１６が領域１０２内の全パケット転送装置間のリンクで、ある一定量のリソースを確保する。通信手順は端末１２０、１２１間での通信と同様である。
【０１２０】
前記の通信方法では、通信要求が集中した場合、パケット転送装置が管理装置からリソース不足の警告を受け取る前に通信許可を与えてしまい、リソースが不足することが考えられる。このような場合に備えて、管理装置は通信許可を与えるリソースの量よりも十分多くのリソースを確保しておく。
【０１２１】
同様に、管理装置１１６は他の領域１０４、１０５への通信のためにリソースの確保と管理を行う。また、管理装置１１７、１１８、１１９及びパケット転送装置１０９〜１１５も管理装置１１６及びパケット転送装置１０６〜１０８と同様の作業を行う。
【０１２２】
【発明の効果】
以上説明したように、本発明の品質保証型ネットワークシステム及び品質保証型通信方法によれば、品質保証した通信において、通信の要求が発生してから通信開始までの間に、送信端末から受信端末までの通信経路で順次リソースを確保する作業がなくなり、送信端末の接続されているパケット転送装置、または、送信端末の属する領域の管理装置に問い合わせるだけで、通信を始めることができ、通信要求の発生から通信開始までの時間を短縮することができる。
【図面の簡単な説明】
【図１】本発明による品質保証型ネットワークシステムの構成図である。
【図２】ＲＳＶＰの制御シーケンス図である。
【図３】領域１０２にある端末から領域１０３にある端末へ品質保障と短時間での通信開始が必要な通信をするためにリソースを確保する説明図である。
【図４】端末１２０が端末１２１へ品質保障と短時間での通信開始が必要な通信を行う場合における、管理装置、パケット転送装置及び端末間の情報のやりとりの説明図である。
【図５】領域内で品質保証と短時間での通信開始が必要な通信を行うためにリソースを確保する様子を示す説明図である。
【図６】領域１０２にある端末から領域１０３にある端末へ品質保障と短時間での通信開始が必要な通信をするためにリソースを確保する様子を示す説明図である。
【図７】端末１２０が端末１２１へ、品質保障と短時間での通信開始が必要な通信を行う場合を例に管理装置、パケット転送装置、端末間の情報のやりとりを示す説明図である。
【図８】領域内で品質保証と短時間での通信開始が必要な通信を行うためにリソースを確保する様子を示す説明図である。
【図９】領域１０２にある端末から領域１０３にある端末へ品質保障と短時間での通信開始が必要な通信をするためにリソースを確保する様子を示す説明図である。
【図１０】端末１２０が端末１２１へ、品質保障と短時間での通信開始が必要な通信を行う場合に、管理装置、パケット転送装置、端末間の情報のやりとりを示す説明図である。
【図１１】領域内で品質保証と短時間での通信開始が必要な通信を行うためにリソースを確保する様子を示す説明図である。
【図１２】領域１０２にある端末から領域１０３にある端末へ品質保障と短時間での通信開始が必要な通信をするためにリソースを確保する様子を示す説明図である。
【図１３】端末１２０が端末１２１へ品質保障と短時間での通信開始が必要な通信を行う場合に、管理装置、パケット転送装置、端末間の情報のやりとりを示す説明図である。
【図１４】領域内で品質保証と短時間での通信開始が必要な通信を行うためにリソースを確保する様子を示す説明図である。
【図１５】領域１０２にある端末から領域１０３にある端末へ品質保障と短時間での通信開始が必要な通信をするためにリソースを確保する様子を示す説明図である。
【図１６】端末１２０が端末１２１へ品質保障と短時間での通信開始が必要な通信を行う場合に、管理装置、パケット転送装置、端末間の情報のやりとりを示す説明図である。
【図１７】領域内で品質保証と短時間での通信開始が必要な通信を行うためにリソースを確保する様子を示す説明図である。
【図１８】端末１２０から端末１２１へ品質保障と短時間での通信開始が必要な通信をする手順を示す説明図である。
【図１９】端末１２０から端末１２１へ品質保障と短時間での通信開始が必要な通信をする手順を示す説明図である。
【図２０】端末１２０から端末１２１へ品質保障と短時間での通信開始が必要な通信をする手順を示す説明図である。
【図２１】端末１２０から端末１２１へ品質保障と短時間での通信開始が必要な通信をする手順を示す説明図である。
【図２２】端末１２０から端末１２１へ品質保障と短時間での通信開始が必要な通信をする手順を示す説明図である。
【符号の説明】
１０１  ネットワーク  １０２〜１０５  ネットワークリソースを管理するための領域
１０６〜１１５  パケット転送装置
１１６〜１１９  ネットワークリソース管理装置
１２０、１２１  端末
１２２、１２３、１２４、１２５  領域間を結ぶ伝送路
２０１  送信側端末
２０２  受信側端末
２０３、２０４  パケット転送装置
【図１】
0003555514.tif 000002
【図２】
0003555514.tif 000003
【図３】
0003555514.tif 000004
【図４】
0003555514.tif 000005
【図５】
0003555514.tif 000006
【図６】
0003555514.tif 000007
【図７】
0003555514.tif 000008
【図８】
0003555514.tif 000009
【図９】
0003555514.tif 000010
【図１０】
0003555514.tif 000011
【図１１】
0003555514.tif 000012
【図１２】
0003555514.tif 000013
【図１３】
0003555514.tif 000014
【図１４】
0003555514.tif 000015
【図１５】
0003555514.tif 000016
【図１６】
0003555514.tif 000017
【図１７】
0003555514.tif 000018
【図１８】
0003555514.tif 000019
【図１９】
0003555514.tif 000020
【図２０】
0003555514.tif 000021
【図２１】
0003555514.tif 000022
【図２２】
0003555514.tif 000023